(57)【特許請求の範囲】
【請求項１】
内筒プラグおよび両端に小径端部を有する外筒部とで構成されるコアシリンダーと、前記外筒部一端に取り付け自在であるフロントキャップと、前記外筒部他端に取り付け自在であるテールと、コアシリンダーに取り付け自在で錠前本体と接続されるアタッチメントを少なくとも含み、かつ前記フロントキャップの内側円周に沿って溝が設けられ、該溝に一部が欠けたドーナツ状の円盤が定常状態で上記シリンダー外筒部一端の外径よりも小さく付設され、かつコアシリンダーの外筒部一端側面上に凹部および凸部が設けられ、この凸部にはフロント側からテール方向へ斜面が、また、テール側からフロント方向へは垂直の壁が形成されることを特徴とするシリンダー錠。
【請求項２】
内筒プラグおよびその両端に小径端部を有する外筒部で構成されるコアシリンダーと、前記外筒部一端に取り付け自在であるフロントキャップと、前記外筒部に取り付け自在であるシリンダーカラーと、前記外筒部他端に取り付け自在であるテールと、コアシリンダーに取り付け自在で錠前本体と接続されるアタッチメントを少なくとも含み、かつ前記フロントキャップの内側円周に沿って溝が設けられ、該溝に一部が欠けたドーナツ状の円盤が定常状態で上記シリンダー外筒部一端の外径よりも小さく付設され、かつコアシリンダーの外筒部一端側面上に凹部および凸部が設けられ、この凸部にはフロント側からテール方向へ斜面が、またテール側からフロント方向へは垂直の壁が形成されるとともに、前記シリンダーカラーの内側円周に沿って溝が設けられ、該溝に一部が欠けたドーナツ状の円盤が定常状態で上記シリンダー外筒部の外径よりも小さく付設され、かつコアシリンダーの外筒部側面上に凹部および凸部が設けられ、この凸部にはフロント側からテール方向へ斜面が、また、テール側からフロント方向へは垂直の壁が形成され、さらに前記アタッチメントは環状内部に溝が設けられ、前記外筒部他端に設けられた溝を介して外筒部他端に取り付け自在であることを特徴とするシリンダー錠。
【請求項３】
内筒プラグおよび両端に小径端部を有する外筒部とで構成されるコアシリンダーと、前記外筒部一端に取り付け自在であるフロントキャップと、前記外筒部に取り付け自在であるシリンダーキャップと、前記外筒部他端に取り付け自在であるテールと、コアシリンダーに取り付け自在で錠前本体と接続されるアタッチメントを少なくとも含み、かつ前記フロントキャップの内側円周に沿って溝が設けられ、該溝に一部が欠けたドーナツ状の円盤が定常状態で上記シリンダー外筒部一端の外径よりも小さく付設され、かつコアシリンダーの外筒部一端側面上に凹部および凸部が設けられ、この凸部にはフロント側からテール方向へ斜面が、また、テール側からフロント方向へは垂直の壁が形成されるとともに、前記シリンダーキャップの内側円周に沿って溝が設けられ、該溝に一部が欠けたドーナツ状の円盤が定常状態で上記シリンダー外筒部の外径よりも小さく付設され、かつコアシリンダーの外筒部側面上に凹部および凸部が設けられ、この凸部にはフロント側からテール方向へ斜面が、また、テール側からフロント方向へは垂直の壁が形成され、さらに前記アタッチメントは前記テールに嵌め込まれるインナークランプを含み、環状内部に溝が設けられ、前記外筒部他端に設けられた溝を介して外筒部他端に取り付け自在であることを特徴とするシリンダー錠。
【請求項４】
内筒プラグおよび両端に小径端部を有する外筒部で構成されるコアシリンダーと、前記外筒部一端に取り付け自在であるフロントキャップと、前記外筒部に取り付け自在であるシリンダーカラーと、前記外筒部他端に取り付け自在であるテールと、コアシリンダーに取り付け自在で錠前本体と接続されるアタッチメントを少なくとも含み、かつ前記フロントキャップの内側円周に沿って溝が設けられ、該溝に一部が欠けたドーナツ状の円盤が定常状態で上記シリンダー外筒部一端の外径よりも小さく付設され、かつコアシリンダーの外筒部一端側面上に凹部および凸部が設けられ、この凸部にはフロント側からテール方向へ斜面が、またテール側からフロント方向へは垂直の壁が形成されるとともに、前記シリンダーカラーの内側円周に沿って溝が設けられ、該溝に一部が欠けたドーナツ状の円盤が定常状態で上記シリンダー外筒部の外径よりも小さく付設され、かつコアシリンダーの外筒部側面上に凹部および凸部が設けられ、この凸部にはフロント側からテール方向へ斜面が、また、テール側からフロント方向へは垂直の壁が形成され、さらに前記アタッチメントは環状内部に溝が設けられ、前記外筒部他端に設けられた溝を介して外筒部他端に取り付け自在であるともに、環状外部に溝が設けられ、リングの内部に設けられた溝を介してリングがアタッチメントの環状外部に取り付け自在であることを特徴とするシリンダー錠。
【請求項５】
コアシリンダーの外筒部一端に取り付け自在であるフロントキャップの内側円周に沿って溝が設けられ、該溝に一部が欠けたドーナツ状の円盤が定常状態で上記シリンダー外筒部一端の外径よりも小さく付設され、かつコアシリンダーの外筒部一端側面上に凹部および凸部が設けられ、この凸部にはフロント側からテール方向へ斜面が、また、テール側からフロント方向へは垂直の壁が形成されることを特徴とするシリンダー錠。
【請求項６】
コアシリンダーの外筒部に取り付け自在であるシリンダーカラーの外筒部の内側円周に沿って溝が設けられ、該溝に一部が欠けたドーナツ状の円盤が定常状態で上記シリンダー外筒部の外径よりも小さく付設され、かつコアシリンダーの外筒部側面上に凹部および凸部が設けられ、この凸部にはフロント側からテール方向へ斜面が、また、テール側からフロント方向へは垂直の壁が形成されることを特徴とするシリンダー錠。
【請求項７】
コアシリンダーの外筒部に取り付け自在であるシリンダーキャップの内側円周に沿って溝が設けられ、該溝に一部が欠けたドーナツ状の円盤が定常状態で上記シリンダー外筒部の外径よりも小さく付設され、かつコアシリンダーの外筒部側面上に凹部および凸部が設けられ、この凸部にはフロント側からテール方向へ斜面が、また、テール側からフロント方向へは垂直の壁が形成されることを特徴とするシリンダー錠。
【発明の詳細な説明】
【０００１】
【発明の属する技術分野】
本発明は、シリンダー錠を共通化して、錠前の種類／機種に関わり無く利用できるようにするとともに、ピッキング以外の不正解錠をも防ぐことができる組み立て式のシリンダー錠に関する。
【０００２】
【従来の技術】
玄関錠を例にとると、日本国内には、様々なメーカーの非常に多種にわたる錠前 (機種)が利用されている。特にシリンダー錠を利用した錠前を例に挙げると、各メーカー独自に設計した錠前本体に、その本体とー体化できる独特の形状をしたシリンダー錠を付設して提供されている。従って、何らかの理由によりそのシリンダー錠部分だけを交換しようとする場合、その錠前(機種)に適合するシリンダー錠を取り付ける必要があり、そのために各メーカー別、機種別に各々の取替用シリンダー錠を用意する必要があった。また、これら錠前を扱う業者も、顧客からの依頼に備え、機種別に様々な形や色のシリンダー錠を常に在庫として持っておく必要があった。そのような、シリンダーに複数のアダプタを選択的に取り付け可能な手段は下記特許文献にも示されるように種々発明されている。
一方、針金などの特殊工具を用いて不正解錠を行うピッキングと言われる手法による窃盗犯罪が社会問題となっているが、ピッキング以外の方法による不正解錠も多くなって来ている。例えば、市販されている殆どのシリンダーに見られるように、シリンダーをドアと密着させるためのシリンダーカラーがドアとの隙間を生じる場合、バールなどを隙間に差込んでテコの原理によりシリンダーをもぎ取られたり、針金のような工具を用いて、シリンダーカラーの隙間からドア内部へ針金を挿入させ、錠前本体の回転カムを動かしてデッドボルトを動かすという方法によりピッキングよりも容易に不正解錠されるという犯罪ケースが広がって来ている。特に、前者のバールによる方法は、シリンダーカラーがプレスで製造されているものには何の防御もできない行為であるが、後者の方法は、一部の錠前機種によっては無垢材でできたシリンダーカラーといえどもカラーをバネで押え込み、カラーとドアに隙間ができてしまうものであれば、簡単に狙われてしまう方法であった。また、既成概念として、シリンダー錠にメーカー名以外のロゴやデザインを施すという製品はこれまでに存在しなかった。従って、錠前業者がシリンダーを交換しても、ユーザーがその業者の名刺や領収書などを残しておかない限り、何ら履歴が残らない上、そのシリンダーにトラブルがあった場合など、名刺や領収書を部屋に残していても何も役に立たないことがあり、同じ業者が客に指名されないケースが多く、リピート効果は全くなかった。
【特許文献１】
特開昭６０−１５６８７３号公報
【特許文献１】
実願昭５９−０００２４８号公報
【特許文献１】
特表平０９−５１２０７４号公報
【０００３】
【発明が解決しようとする課題】
本発明は、上記した実状に鑑みてなされたもので、共通のコアシリンダーを骨格として、これと結合させる種々のアタッチメントによって、各種錠前との関連性を持たせシリンダー錠としての機能を果たすように設計されたもので、これにより錠前の種類／機種に関係なく利用でき、したがって、各機種別、色別の在庫の負担が軽減され、また緊急の工事にも対応できる、従前の組み立て式シリンダー錠にみられない構造の組み立て可能なシリンダー錠を提供することをその目的とするものである。
また、コア部分や各種パーツ部分を共通化することで、製造における工程の繁雑さも軽減でき、コスト面、納期面でも飛躍的に効率化できる組み立て可能なシリンダー錠を提供することをその目的とするものである。
さらに、ピッキング以外の行為から防御するため、シリンダーカラーをドアと密着させ隙間ができない構造とすることで、バール等によるもぎ取りや、針金等によるバイパス解錠を防ぐシリンダー錠を提供することを目的とする。
さらにまた、フロントキャップに円盤状の金具を入れ、ドリルを用いてホルソーで破壊しようとする攻撃に対し、円盤が回転するため、ドリル刃が先に空転して防御できるシリンダー錠を提供することを目的とする。
【０００４】
【問題を解決するための手段】
本発明に係るシリンダー錠は、内筒プラグおよびその外筒部で構成されるコアシリンダーと種々の錠前に適合するアタッチメントとを組合せ可能とすることにより、共通のコアシリンダーと共通パーツで各種錠前用のシリンダー錠を組立可能にしてなるものである。
また、本発明は、上記組み立て式のシリンダー錠を用いてなる錠前として住宅、金庫、什器、自動車、バイク、南京錠などに使用される各種錠前である。
そしてまた、本発明は、上記組み立て式シリンダー錠を用いてなる補助錠である。
本発明に係るシリンダー錠は、内筒プラグおよび両端に小径端部を有する外筒部とで構成されるコアシリンダーと、前記外筒部一端に取り付け自在であるフロントキャップと、前記外筒部他端に取り付け自在であるテールと、コアシリンダーに取り付け自在で錠前本体と接続されるアタッチメントを少なくとも含み、かつ前記フロントキャップの内側円周に沿って溝が設けられ、該溝に一部が欠けたドーナツ状の円盤が定常状態で上記シリンダー外筒部一端の外径よりも小さく付設され、かつコアシリンダーの外筒部一端側面上に凹部および凸部が設けられ、この凸部にはフロント側からテール方向へ斜面が、また、テール側からフロント方向へは垂直の壁が形成されるものであり、以下に述べる実施例に共通の要素であり、ＨＰＤ４０ＫＪ型シリンダーがアタッチメントにインナークランプを有しているがこれに該当している。
本発明に係るシリンダー錠は、内筒プラグおよびその外筒部で構成されるコアシリンダーと、前記外筒部一端に取り付け自在であるフロントキャップと、前記外筒部に取り付け自在であるシリンダーカラーと、前記外筒部他端に取り付け自在であるテールと、コアシリンダーに取り付け自在で錠前本体と接続されるアタッチメントを少なくとも含み、かつ前記フロントキャップの内側円周に沿って溝が設けられ、該溝に一部が欠けたドーナツ状の円盤が定常状態で上記シリンダー外筒部一端の外径よりも小さく付設され、かつコアシリンダーの外筒部一端側面上に凹部および凸部が設けられ、この凸部にはフロント側からテール方向へ斜面が、またテール側からフロント方向へは垂直の壁が形成されるとともに、前記シリンダーカラーの内側円周に沿って溝が設けられ、該溝に一部が欠けたドーナツ状の円盤が定常状態で上記シリンダー外筒部の外径よりも小さく付設され、かつコアシリンダーの外筒部側面上に凹部および凸部が設けられ、この凸部にはフロント側からテール方向へ斜面が、また、テール側からフロント方向へは垂直の壁が形成され、さらに前記アタッチメントは環状内部に溝が設けられ、前記外筒部他端に設けられた溝を介して外筒部他端に取り付け自在であり、実施例のＬＡ型シリンダーおよびＢＨ型シリンダーがアタッチメントの形状は異なるがこれに該当している。
本発明に係るシリンダー錠は、内筒プラグおよび両端に小径端部を有する外筒部とで構成されるコアシリンダーと、前記外筒部一端に取り付け自在であるフロントキャップと、前記外筒部に取り付け自在であるシリンダーキャップと、前記外筒部他端に取り付け自在であるテールと、コアシリンダーに取り付け自在で錠前本体と接続されるアタッチメントを少なくとも含み、かつ前記フロントキャップの内側円周に沿って溝が設けられ、該溝に一部が欠けたドーナツ状の円盤が定常状態で上記シリンダー外筒部一端の外径よりも小さく付設され、かつコアシリンダーの外筒部一端側面上に凹部および凸部が設けられ、この凸部にはフロント側からテール方向へ斜面が、また、テール側からフロント方向へは垂直の壁が形成されるとともに、前記シリンダーキャップの内側円周に沿って溝が設けられ、該溝に一部が欠けたドーナツ状の円盤が定常状態で上記シリンダー外筒部の外径よりも小さく付設され、かつコアシリンダーの外筒部側面上に凹部および凸部が設けられ、この凸部にはフロント側からテール方向へ斜面が、また、テール側からフロント方向へは垂直の壁が形成され、さらに前記アタッチメントは前記テールに嵌め込まれるインナークランプを含み、環状内部に溝が設けられ、前記外筒部他端に設けられた溝を介して外筒部他端に取り付け自在であり、実施例のＲＡ型シリンダーがこれに該当している。
本発明に係るシリンダー錠は、内筒プラグおよび両端に小径端部を有する外筒部で構成されるコアシリンダーと、前記外筒部一端に取り付け自在であるフロントキャップと、前記外筒部に取り付け自在であるシリンダーカラーと、前記外筒部他端に取り付け自在であるテールと、コアシリンダーに取り付け自在で錠前本体と接続されるアタッチメントを少なくとも含み、かつ前記フロントキャップの内側円周に沿って溝が設けられ、該溝に一部が欠けたドーナツ状の円盤が定常状態で上記シリンダー外筒部一端の外径よりも小さく付設され、かつコアシリンダーの外筒部一端側面上に凹部および凸部が設けられ、この凸部にはフロント側からテール方向へ斜面が、またテール側からフロント方向へは垂直の壁が形成されるとともに、前記シリンダーカラーの内側円周に沿って溝が設けられ、該溝に一部が欠けたドーナツ状の円盤が定常状態で上記シリンダー外筒部の外径よりも小さく付設され、かつコアシリンダーの外筒部側面上に凹部および凸部が設けられ、この凸部にはフロント側からテール方向へ斜面が、また、テール側からフロント方向へは垂直の壁が形成され、さらに前記アタッチメントは環状内部に溝が設けられ、前記外筒部他端に設けられた溝を介して外筒部他端に取り付け自在であるともに、環状外部に溝が設けられ、リングの内部に設けられた溝を介してリングがアタッチメントの環状外部に取り付け自在であり、実施例のＳＷＬＳＰ型がこれに該当し、前記アタッチメントはＬＩＸ／ＬＳＰシリンダー兼用となっている。
本発明に係るシリンダー錠は、コアシリンダーの外筒部一端に取り付け自在であるフロントキャップの内側円周に沿って溝が設けられ、該溝に一部が欠けたドーナツ状の円盤が定常状態で上記シリンダー外筒部一端の外径よりも小さく付設され、かつコアシリンダーの外筒部一端側面上に凹部および凸部が設けられ、この凸部にはフロント側からテール方向へ斜面が、また、テール側からフロント方向へは垂直の壁が形成されるものである。
本発明に係るシリンダー錠は、コアシリンダーの外筒部に取り付け自在であるシリンダーカラーの外筒部の内側円周に沿って溝が設けられ、該溝に一部が欠けたドーナツ状の円盤が定常状態で上記シリンダー外筒部の外径よりも小さく付設され、かつコアシリンダーの外筒部側面上に凹部および凸部が設けられ、この凸部にはフロント側からテール方向へ斜面が、また、テール側からフロント方向へは垂直の壁が形成されるものである。
本発明に係るシリンダー錠は、コアシリンダーの外筒部に取り付け自在であるシリンダーキャップの内側円周に沿って溝が設けられ、該溝に一部が欠けたドーナツ状の円盤が定常状態で上記シリンダー外筒部の外径よりも小さく付設され、かつコアシリンダーの外筒部側面上に凹部および凸部が設けられ、この凸部にはフロント側からテール方向へ斜面が、また、テール側からフロント方向へは垂直の壁が形成されるものである。
【０００５】
【作用】
以下、本発明の作用について説明する。本発明に係る組み立て式シリンダー錠は、内筒プラグおよび両端に小径端部を有する外筒部で構成されるコアシリンダーと種々の錠前に適合するアタッチメントとを組合せ可能としてなるものであるから、例えば美和ロック社製ＬＡ型シリンダーを使用する錠前に適用する場合には、上記コアシリンダーにＬＡ型シリンダー用のアタッチメントを組み合わせるだけでＬＡ型シリンダーとして使用できることとなる。色違いは、ドアの外側に露出される部分だけに塗色すればよく、フロントキャップ、シリンダーカラーだけを色違いパーツとすることにより、他の部分は機種に関りなく共通に使用できる。そして、錠前に上記組み立て式シリンダー錠を用いてもよいし、また、補助錠に上記組み立て式シリンダー錠を用いてもよい。
また、シリンダーカラーとドアとの隙間を無くす構造により、ピッキング以外の行為にも防犯上優れた効果を発揮できるようにしている。
さらにまた、フロントキャップに円盤状の金具を入れたので、ドリルを用いてホルソーで破壊しようとする攻撃に対し、円盤が回転するため、ドリル刃が先に空転して防御できる。
尚、本発明に係る錠前は、錠前に付帯したエスカッション部のサイズを変更することにより、これまでエスカッションサイズに限定されシリンダー部を共通サイズにできなかった機種までも取替用シリンダー錠として上記コアシリンダーを利用できるようにしている。そしてまた、シリンダーのフロントキャップが取替自在に固定できることにより、錠前を扱う者の屋号や電話番号を表示したオリジナルシリンダーが簡単に製品化でき、宣伝効果やリピート効果をもたらすことができることは勿論、シリンダーに履歴（電話番号などの連絡先）が残っているため、カギのトラブルに際しても緊急に対応できるサービス体系を独自に構築できる。
【０００６】
【実施例】
以下、本発明について、実施例に基づき説明する。但し、取替用機種としては、代表的な例として美和ロック社製品を例に挙げるが、部材材質、サイズ、アタッチメント構造、デザイン等は、これに限定されるものではないことは言うまでもない。図１は本発明に係る組み立て式のシリンダー錠を構成するコアシリンダーを示す概略斜視図である。図２はその分解説明図、図３はフロントキャップの正面図、図４は円盤の取り付け前のフロントキャップの説明図、そして図５は円盤の取り付け前のフロントキャップの斜視図である。図において、コアシリンダー１は、内筒プラグ２および両端に小径端部を有する外筒部３を備えるとともに、上記外筒部３の一端にはフロントキャップ４が、また他端にはテール５がそれぞれ取り付け自在とされている。そして、フロントキャップ４の内側円周に沿って溝６が設けられ、該溝６に一部が欠けたドーナツ状の円盤７が付設されている。
【０００７】
図６〜図15は、上記コアシリンダー１と所定の部品とにより組み立てられたＬＡ型シリンダーの実施例を示し、図６はその側面図、図７は斜視図、図８は分解側面図、そして図９は分解斜視図である。また、図10はシリンダーカラーの断面図、図11は上記ＬＡ型シリンダーの説明図、そして図12は図６の断面図である。さらに、図13はＬＡ型シリンダー用アタッチメントの側面図、図14および図15はＬＡ型シリンダー用アタッチメントの斜視図である。図において、本発明に係るＬＡ型シリンダー錠８は、コアシリンダー１と、このコアシリンダー１に取り付けられるシリンダーカラー９とＬＡ型シリンダー用アタッチメント10とからなっている。そして、上記シリンダーカラー９の内側円周に沿って溝11が設けられ、該溝11に一部が欠けたドーナツ状の円盤12が付設されている。また、コアシリンダー１の外筒部３側面上に凹部13および凸部14が設けられ、この凸部14にはフロント側からテール方向へ斜面が、また、テール側からフロント方向へは垂直の壁が形成されている。したがって、シリンダーカラー９をコアシリンダー外筒部３に取り付ける際に、定常状態で上記円盤12がシリンダー外筒部３の外径よりも小さい状態になる応力を利用することにより、シリンダーカラー９はフロント側から挿入されると凸部14を越えて進み、ドアと密着したとき凹部13に円盤12が落ち込んで固定されるから、フロント側にシリンダーカラー９は容易に移動しないこととなる。同様にして、コアシリンダー１の外筒部３側面上に凹部15および凸部16が設けられ、この凸部16にはフロント側からテール方向へ斜面が、また、テール側からフロン方向へは垂直の壁が形成されている。したがって、フロントキャップ４をコアシリンダー外筒部３に取り付ける際に、定常状態で上記円盤７がシリンダー外筒部３の外径よりも小さい状態になる応力を利用することにより、フロントキャップ４はフロント側から挿入されると凸部16を越えて進み、ドアと密着したとき凹部15に円盤７が落ち込んで固定されるから、この状態からは、フロント側にフロントキャップは抜けなくなることとなる。この他、フロントキャップを側面からネジやピンなどを貫通させて固定する方法もとれるが、いずれの方法を利用してもフロントキャップが簡単に外れない方法であれば、どんな方法でも限定されない。このようにフロントキャップに円盤状の金具を入れた場合、ドリルを用いてホルソーで破壊しようとする攻撃に対し、円盤が回転するため、ドリル刃が先に空転して防御できる効果が期待できる。
【０００８】
図16〜図18は、上記コアシリンダー１と所定の部品とにより組み立てられたＢＨ型シリンダーの実施例を示し、図16は側面図、図17は分解側面図、そして図18はＢＨ型シリンダー用アタッチメントの斜視図である。図において、本発明に係る組み立て式のＢＨ型シリンダー錠21は、コアシリンダー１と、このコアシリンダー１に取り付けられるシリンダーカラー22とＢＨ型シリンダー用アタッチメント23とからなっている。ここでシリンダーカラー22は、ＬＡ型シリンダーカラー９と共通のものとして使用できる。
【０００９】
図19〜図22は、上記コアシリンダー１と所定の部品とにより組み立てられたＲＡ型シリンダーの実施例を示し、図19は分解側面図、図20はＲＡ型シリンダー用アタッチメントの分解側面図、図21および図22はＲＡ型シリンダー用アタッチメントの背面側からの斜視図である。図において、本発明に係るＲＡ型シリンダー錠31は、コアシリンダー１と、このコアシリンダー１に取り付けられるシリンダーキャップ32とＲＡ型シリンダー用アタッチメント33とからなっている。前記アタッチメント33はテールに嵌め込まれるインナークランプ（図２０の上段中央の部品）を含み、環状内部に溝が設けられ、前記外筒部他端に設けられた溝を介して外筒部他端に取り付け自在である。また、図示されていないが、ＰＭＫ型シリンダーにおいてもアタッチメントの形状が異なること、エスカッションが異なることを除いて、共通のシリンダーキャップを用いた同様のシステムが構築できる。
【００１０】
図23〜図26は、上記コアシリンダー１と所定の部品とにより組み立てられたＨＰＤ４０ＫＪ型シリンダーの実施例を示し、図23は側面図、図24は分解側面図、図25はＨＰＤ４０ＫＪ型シリンダー用アタッチメントの分解側面図、そして図26はＨＰＤ４０ＫＪ型シリンダー用アタッチメントの斜視図である。図において、本発明に係る組み立て式のＨＰＤ４０ＫＪ型シリンダー錠41は、コアシリンダー１と、このコアシリンダー１に取り付けられるフロントキャップ４とＨＰＤ４０ＫＪ型シリンダー用アタッチメント42とからなっている。前記アタッチメント42はテールに嵌め込まれるインナークランプ（図２４の中央の部品）を含んでいる。
【００１１】
図27〜図29は、上記コアシリンダー１と所定の部品とにより組み立てられたＳＷＬＳＰ型シリンダーの実施例を示し、図27は側面図、図28は分解側面図、そして図29はＬＩＸ／ＬＳＰシリンダー兼用アタッチメントの斜視図である。図において、本発明に係る組み立て式のＳＷＬＳＰ型シリンダー錠51は、コアシリンダー１と、このコアシリンダー１に取り付けられるシリンダーカラー52とＬＩＸ／ＬＳＰシリンダー兼用アタッチメント53とからなっている。
【００１２】
図30〜図33は、上記コアシリンダー１と所定の部品とにより組み立てられたＬＩＸ型シリンダーの実施例を示し、図30は側面図、図31は分解側面図、そして図32はシリンダーカラーの斜視図、そして図33はＬＩＸ型用アタッチメントの斜視図である。図において、本発明に係る組み立て式のＬＩＸ型シリンダー錠61は、コアシリンダー１と、このコアシリンダー１に取り付けられるシリンダーキャップ62と、ＬＩＸ／ＬＳＰシリンダー兼用アタッチメント53と、ＬＩＸ型シリンダー用アタッチメント63とからなっている。
【００１３】
尚、錠前に上記組み立て式のシリンダー錠を用いてもよいし、また、補助錠に上記組み立て式のシリンダー錠を用いても無論よい。
【００１４】
さらにまた、図34および図35は、本発明に係る錠前の実施例を示し、図34は錠前に付帯したエスカッション部の正面図、図35は側面図である。図において、錠前に付帯したエスカッション部71、シリンダー窓口72、ドアノブ窓口73が示され、エスカッションのサイズを変更することにより、本来は小さい径のシリンダーであるＰＭＫなどの取替用シリンダー錠として上記コアシリンダーを利用できるようにしている。
【００１５】
【発明の効果】
以上の説明から明らかなように、本発明に係る組み立て式のシリンダー錠は、従前のシリンダーに複数のアダプタを選択的に取り付け可能な手段に示されない技術構成によって、各種錠前との関連性を持たせシリンダー錠としての機能を果たすようにしたから、これにより錠前の種類／機種に関係なく利用でき、したがって、在庫の負担が軽減され、また緊急の工事にも対応できる顕著な効果が得られる。また、コア部分やその他パーツを共通化することで、製造における工程の繁雑さも軽減でき、コスト面、納期面でも飛躍的に効率化できる。そしてまた、色違いにおいても、露出するシリンダーカラーとフロントキャップだけを塗色することにより対応可能なため、この部分でもコストや在庫を抑えることができる。
さらに、フロントキャップやシリンダーカラーやシリンダーキャップの構造に特徴をもたせることにより、ピッキング以外の犯罪行為に対しても優れた防犯効果を見出せ、総合的な防犯対策シリンダーとしても進歩している。
【図面の簡単な説明】
【図１】本発明に係る組み立て式のシリンダー錠を構成するコアシリンダーを示す概略斜視図である。
【図２】コアシリンダーの分解説明図である。
【図３】フロントキャップの正面図である。
【図４】円盤の取り付け前のフロントキャップの説明図である。
【図５】円盤の取り付け前のフロントキャップの斜視図である。
【図６】組み立てられたＬＡ型シリンダーの側面図である。
【図７】ＬＡ型シリンダーの斜視図である。
【図８】ＬＡ型シリンダーの分解側面図である。
【図９】ＬＡ型シリンダーの分解斜視図である。
【図10】シリンダーカラーの断面図である。
【図11】ＬＡ型シリンダーの説明図である。
【図12】ＬＡ型シリンダーの断面図である。
【図13】ＬＡ型シリンダー用アタッチメントの側面図である。
【図14】ＬＡ型シリンダー用アタッチメントの斜視図である。
【図15】ＬＡ型シリンダー用アタッチメントの斜視図である。
【図16】組み立てられたＢＨ型シリンダーの側面図である。
【図17】ＢＨ型シリンダーの分解側面図である。
【図18】ＢＨ型シリンダー用アタッチメントの斜視図である。
【図19】組み立てられたＲＡ型シリンダーの分解側面図である。
【図20】ＲＡ型シリンダー用アタッチメントの分解側面図である。
【図21】ＲＡ型シリンダー用アタッチメントの斜視図である。
【図22】ＲＡ型シリンダー用アタッチメントの斜視図である。
【図23】組み立てられたＨＰＤ４０ＫＪ型シリンダーの側面図である。
【図24】ＨＰＤ４０ＫＪ型シリンダーの分解側面図である。
【図25】ＨＰＤ４０ＫＪ型シリンダー用アタッチメントの分解側面図である。
【図26】ＨＰＤ４０ＫＪ型シリンダー用アタッチメントの斜視図である。
【図27】組み立てられたＳＷＬＳＰ型シリンダーの側面図である。
【図28】ＳＷＬＳＰ型シリンダーの分解側面図である。
【図29】ＬＩＸ／ＬＳＰシリンダー兼用アタッチメントの斜視図である。
【図30】組み立てられたＬＩＸ型シリンダーの側面図である。
【図31】ＬＩＸ型シリンダーの分解側面図である。
【図32】シリンダーカラーの斜視図である。
【図33】ＬＩＸ型用アタッチメントの斜視図である。
【図34】本発明に係る錠前の実施例を示す側面図である。
【図35】本発明に係る錠前の実施例を示す側面図である。
【符号の説明】
１ コアシリンダー
２ 内筒プラグ
３ 外筒部
４ フロントキャップ
５ テール
６ 溝
７ 円盤
８ ＬＡ型シリンダーシリンダー錠
９ シリンダーカラー
10 ＬＡ型シリンダー用アタッチメント
11 溝
12 円盤
13 凹部
14 凸部
15 凹部
16 凸部
21 組み立て式のＢＨ型シリンダー錠
22 シリンダーカラー
23 ＢＨ型シリンダー用アタッチメント
31 組み立て式のＲＡ型シリンダー錠
32 シリンダーカラー
33 ＲＡ型シリンダー用アタッチメント
41 組み立て式のＨＰＤ４０ＫＪ型シリンダー錠
42 シリンダーカラー
43 ＨＰＤ４０ＫＪ型シリンダー用アタッチメント
51 組み立て式のＳＷＬＳＰ型シリンダー錠
52 シリンダーカラー
53 ＬＩＸ／ＬＳＰシリンダー兼用アタッチメント
61 組み立て式のＬＩＸ型シリンダー錠
62 ＬＩＸ型シリンダーキャップ
63 ＬＩＸ型シリンダー用アタッチメント
71 エスカッション部
72 シリンダー窓口
73 ドアノブ窓口
【図１】
0004141691.tif 000002
【図２】
0004141691.tif 000003
【図３】
0004141691.tif 000004
【図４】
0004141691.tif 000005
【図５】
0004141691.tif 000006
【図６】
0004141691.tif 000007
【図７】
0004141691.tif 000008
【図８】
0004141691.tif 000009
【図９】
0004141691.tif 000010
【図１０】
0004141691.tif 000011
【図１１】
0004141691.tif 000012
【図１２】
0004141691.tif 000013
【図１３】
0004141691.tif 000014
【図１４】
0004141691.tif 000015
【図１５】
0004141691.tif 000016
【図１６】
0004141691.tif 000017
【図１７】
0004141691.tif 000018
【図１８】
0004141691.tif 000019
【図１９】
0004141691.tif 000020
【図２０】
0004141691.tif 000021
【図２１】
0004141691.tif 000022
【図２２】
0004141691.tif 000023
【図２３】
0004141691.tif 000024
【図２４】
0004141691.tif 000025
【図２５】
0004141691.tif 000026
【図２６】
0004141691.tif 000027
【図２７】
0004141691.tif 000028
【図２８】
0004141691.tif 000029
【図２９】
0004141691.tif 000030
【図３０】
0004141691.tif 000031
【図３１】
0004141691.tif 000032
【図３２】
0004141691.tif 000033
【図３３】
0004141691.tif 000034
【図３４】
0004141691.tif 000035
【図３５】
0004141691.tif 000036